(57)【特許請求の範囲】
【請求項１】
レドックスフロー型の充電手段と、該充電手段に使われる電界液を移送する手段と、前記の移送された電界液を溶質と溶媒とに分離する手段と、その分離された溶質と溶媒とを混合する手段と、を含むことを特徴とする熱エネルギー貯蔵容量と電気エネルギー貯蔵容量の相互融通方式。
【請求項２】
第１の水素吸蔵合金系を含む充電手段と、第２の水素吸蔵合金系と、第１の水素吸蔵合金系に吸蔵された水素を第２の水素吸蔵合金系に移送する手段と、第２の水素吸蔵合金系の置かれた環境の水素分圧を調整する手段と、を含むことを特徴とする熱エネルギー貯蔵容量と電気エネルギー貯蔵容量の相互融通方式であって、
充放電ステップから蓄放熱ステップに移行する場合は、充電に続く放熱という手続きで行ない、またその逆に、蓄放熱ステップから充放電ステップに移行する場合は、蓄熱に続く放電という手続きで行なうことを特徴とする熱エネルギー貯蔵容量と電気エネルギー貯蔵容量の相互融通方式。
【請求項３】
充放電ステップから蓄放熱ステップに移行する場合は、放電に続く蓄熱、という手続きで行ない、またその逆に、蓄放熱ステップから充放電ステップに移行する場合は、放熱に続く充電という手続きで行なうことを特徴とする請求項１に記載の熱エネルギー貯蔵容量と電気エネルギー貯蔵容量の相互融通方式。
【発明の詳細な説明】
【０００１】
【発明の属する技術分野】
この発明は、電気エネルギーを貯蔵し使用する時間帯と、熱エネルギーを貯蔵し使用する時間帯との間にずれがある場合に、貯蔵されたエネルギーを相互に融通することにより、それぞれのエネルギーを貯蔵する装置の共用化を図り、電気エネルギー貯蔵装置と熱エネルギー貯蔵との両方を使用する場合の全体装置の小型化を可能とする貯蔵熱エネルギーと貯蔵電気エネルギーの相互融通方式に関するものである。
【０００２】
【従来の技術】
電気エネルギーを貯蔵するにあたっては、電気エネルギーは、他のエネルギーに変換されて貯蔵されることが行なわれている。例えば、二次電池を用いて化学エネルギーに変換されたり、運動物体を用いて運動エネルギーに変換されたり、蓄熱体を用いて熱エネルギーに変換されたりして貯蔵される。このように貯蔵されたエネルギーは、変換時と逆プロセスによって再び電気エネルギーに変換され使用される。上記の貯蔵形態のなかでも、このとりわけ、二次電池によって貯蔵されることが多く、それに伴い、種々の二次電池が使われている。
【０００３】
また、熱エネルギーを貯蔵するにあたっては、前記の電気エネルギーと同様に、色々な形態で貯蔵される。通常は、蓄熱体に貯蔵されることが多いが、運動エネルギーや化学エネルギーとして貯蔵される場合もある。特に熱エネルギーの輸送に関わる場合は、化学エネルギーに変換された後、輸送されることが多い。
【０００４】
また、電気エネルギーと熱エネルギーとの両方を貯蔵する場合、従来、これらのエネルギーは、独立に貯蔵され、そのための装置も独立して設けられてきた。
【０００５】
本発明が特に関わる２次電池のひとつは、ニッケル水素型蓄電池であるため、次にこの概要を説明する。
【０００６】
ニッケル水素型蓄電池は、既によく知られている様に、負極に水素吸蔵合金（Ｍ）を、正極に水酸化ニッケル（ＮｉＯＨ）を用いて、正極と負極で電解液を挟み込んだものである。この蓄電池において、充電時の負極と正極とにおける反応は、次の様に説明されている。ここで、ＭＨは金属水素化物でありｅ-は電子である。
負極：Ｍ＋Ｈ2Ｏ＋ｅ- ⇒ ＭＨ＋ＯＨ-、正極：Ｎｉ(ＯＨ)2＋ＯＨ- ⇒ ＮｉＯＯＨ＋Ｈ2Ｏ＋ｅ-。
また、放電時の負極と正極とにおける反応は、次の様に説明されている。
負極：ＭＨ＋ＯＨ- ⇒ Ｍ＋Ｈ2Ｏ＋ｅ-、正極：ＮｉＯＯＨ＋Ｈ2Ｏ＋ｅ- ⇒ Ｎｉ(ＯＨ)2＋ＯＨ-。
従って、全反応としては、次の様になる。
ＮｉＯＯＨ＋ＭＨ ⇔ Ｎｉ(ＯＨ)2＋Ｍ 。
また、水素吸蔵合金（Ｍ）は、水素を吸蔵する際に発熱し、水素を解離する際に、吸熱する。このため、充電時には、負極が過熱され、正極が冷却され、また、放電時には、負極が冷却され、正極が加熱される。
【０００７】
また、本発明が特に関わる蓄熱装置のひとつは、水素吸蔵合金型のものであるため、次にこの概要を説明する。
【０００８】
従来の水素吸蔵合金型の蓄熱装置の概念図を図８に示す。これは、第１の水素吸蔵合金（Ｍａ）の入った容器３と第２の水素吸蔵合金（Ｍｂ）入った容器４とを、バルブｂ９のついた配管で連接したものである。これらの水素吸蔵合金の圧力−温度特性を図７に示す。第１の水素吸蔵合金（Ｍａ）は低温用であり、第２の水素吸蔵合金（Ｍｂ）は高温用である。当初、双方ともに温度Ｔ0にあるものとする。また吸蔵されているそれぞれの水素量は、ＭａとＭｂの最大吸蔵量どちらか少ない方の半分以下の値であるとする。
【０００９】
このとき、バルブｂ９の操作により、容器３と容器４との間を水素の移動が可能であるようにした状態で、バルブｂ2、ｂ4の操作によりＭｂを高温Ｔ3に維持すると、状態は、図７のＢ0からＢ2へと変化し、水素を放出する。放出された水素をＭａが吸蔵するためＭａの温度が等圧力に相当する温度まで上昇する。このため、バルブｂ5、ｂ7の操作により配管に水（あるいは空気）を流してＭａを冷却する。これにより加熱された水（あるいは空気）は、温水（あるいは暖気）として利用することが可能である。この冷却によって、Ｍａの状態はＡ2となり温度は、Ｔ2になる。水素の移動がほぼ終了したならば、バルブｂ９の操作により、容器３と容器４との間の水素の移動を遮断する。以上が、高温Ｔ3の熱源から吸熱する際の原理である。
【００１０】
この状態で、所定の時間保管すると、それぞれの温度は、低下し、外気温Ｔ0になり、Ｍａ、Ｍｂの状態は、それぞれＡ1、Ｂ0となる。
【００１１】
次にＭｂから放熱する原理について説明する。バルブｂ９の操作により、容器３と容器４との間を水素の移動が可能であるようにした状態で、Ｍａを外気温Ｔ0に維持すると、Ｍａは水素を放出し、水素をＭｂが吸蔵する。このためＭｂの温度が等圧力に相当する温度まで上昇する。ここで、バルブｂ1、ｂ3の操作により配管に水（あるいは空気）を流してＭｂを冷却する。これにより加熱された水（あるいは空気）は、温水（あるいは暖気）として利用することが可能である。この冷却によって、Ｍｂの状態はＡ1となり温度は、Ｔ1になる。
【００１２】
以上の操作を繰り返すことにより、Ｍｂからみた蓄熱と放熱が可能となる。また、水素吸蔵合金としては、多種類のものが知られているが、異なる状態図に置ける特性をもつものであれば、上記の蓄熱器に用いることができる。
【００１３】
また、本発明が特に関わる他の２次電池のひとつは、レドックスフロー型蓄電池であるため、次にこの概要を説明する。図９は、よく知られた硫化ナトリウム−臭化ナトリウム蓄電池を示す模式図である。ここで、充電時には、臭化ナトリウム（ＮａＢｒ）水溶液は、タンク１０からナトリウムイオン交換膜１５に沿って流れ、３臭化ナトリウム（ＮａＢｒ3）水溶液のタンク９に蓄えられる。また、４硫化ナトリウム（Ｎａ2Ｓ4）水溶液はタンク７から、ナトリウムイオン交換膜１５の上記の反対面に沿って流れ、２硫化ナトリウム（Ｎａ2Ｓ2）水溶液に変化して、タンク８に蓄えられる。この蓄電池において、充電時の負極と正極とにおける反応は、次の様に説明されている。
負極：Ｓ2- ⇒ Ｓ＋２ｅ-、正極：Ｂｒ2＋２ｅ- ⇒ ２Ｂｒ 。
また、放電時は、上記と逆向きに進行する。従って、全反応としては、次の様になる。
３ＮａＢｒ＋Ｎａ2Ｓ4 ⇔ ２Ｎａ2Ｓ2＋ＮａＢｒ3 。
【００１４】
また、臭化ナトリウム水溶液（ＮａＢｒ・２Ｈ2Ｏ）は、５１℃の温度で無水（粉末）臭化ナトリウム（ＮａＢｒ）にする際、水分の蒸発だけ蓄熱することも知られている。
【００１５】
【発明が解決しようとする課題】
上記の様に、従来の熱エネルギー貯蔵あるいは電気エネルギー貯蔵においては、熱エネルギーと電気エネルギーとはそれぞれ独立した装置で貯蔵されてきたために、それぞれのエネルギーを貯蔵するための資源を相互に融通することは行なわれてこなかった。
【００１６】
この発明は上記に鑑み提案されたもので、それぞれのエネルギーを貯蔵するために必要な貯蔵資源を相互に融通することができる、熱エネルギー貯蔵容量と電気エネルギー貯蔵容量の相互融通方式を提供することを目的とする。
【００１７】
【課題を解決するための手段】
上記目的を達成するために、第１の発明は、レドックスフロー型の充電手段と電解液の乾燥による熱エネルギー貯蔵容量と電気エネルギー貯蔵容量の相互融通方式に関しており、レドックスフロー型の充電手段と、該充電手段に使われる電界液を移送する手段と、前記の移送された電界液を溶質と溶媒とに分離する手段と、その分離された溶質と溶媒とを混合する手段と、を含むことを特徴としている。
【００１８】
また、第２の発明は、第１の水素吸蔵合金系を含む充電手段と、第２の水素吸蔵合金系と、第１の水素吸蔵合金系に吸蔵された水素を第２の水素吸蔵合金系に移送する手段と、第２の水素吸蔵合金系の置かれた環境の水素分圧を調整する手段と、を含むことを特徴とする熱エネルギー貯蔵容量と電気エネルギー貯蔵容量の相互融通方式であって、
充放電ステップから蓄放熱ステップに移行する場合は、充電に続く放熱という手続きで行ない、またその逆に、蓄放熱ステップから充放電ステップに移行する場合は、蓄熱に続く放電という手続きで行なうことを特徴としている。
【００１９】
また、第３の発明は、第１の発明に加えて、充放電ステップから蓄放熱ステップに移行する場合は、放電に続く蓄熱、という手続きで行ない、またその逆に、蓄放熱ステップから充放電ステップに移行する場合は、放熱に続く充電という手続きで行なうことを特徴としている。
【００２０】
【発明の実施の形態】
以下にこの発明の実施の形態を図面に基づいて詳細に説明する。まず、本発明の必要とされる情況を説明し、次に、実施形態を、実施例１と２と、それぞれに説明する。
【００２１】
通常の日常業務に消費される電気エネルギー量は、図３に示すように、１日のうちでも時間帯により大きく変化することが知られている。例えば、図３（ａ）に示す様に、夏の昼過ぎには、冷房装置に使用されるため消費電力量は最大になり、逆に、深夜には最小になることはよく知られている。ここで、主電源による定格出力とは、例えば、外部から受電できる最大電力であり、あるいは例えば、電気・熱コジェネレーション装置の最大出力電力である。この主電源による定格出力では不足する電力をＥ１とする。また、冬においても、図３（ｂ）に示す様に、昼の時間帯に使用される電力量は、夜間に消費される電力量よりも多い。この場合の主電源による定格出力では不足する電力をＥ２とする。
【００２２】
また、消費される熱エネルギーの形態は、ほぼ暖房用と温水用とに分けられるが、この消費量も、図４（ａ）、（ｂ）に示すように、１日のうちでも時間帯により変化することが知られている。例えば、冬の朝には、暖房装置に消費されるエネルギーは最大になり、逆に、昼間には最小になる。また、温水用は、夕方と朝の時間帯に多く消費される。ここで、主熱源による定格出力とは、例えば、外部から供給される最大熱エネルギーであり、あるいは例えば、電気・熱コジェネレーション装置の最大熱エネルギー出力である。この主熱源による定格出力では不足する熱エネルギーを夏の場合を図４（ａ）に示すように、Ｈ１とし、冬の場合を図４（ｂ）に示すように、Ｈ２とする。
【００２３】
ここで、Ｅ１とＥ２とを比較してみると、Ｅ１の方がＥ２よりも大きい。また、Ｈ１とＨ２とを比較してみると、Ｈ２の方がＨ１よりも大きい。
【００２４】
このように、熱エネルギーと電気エネルギーとは、１）最大需要となる時間帯が異なっており、２）夏と冬とでは、不足する電力エネルギーあるいは熱エネルギーが異なっている、ということが分かる。本発明は、このような情況で実施できる発明であり、熱エネルギーと電気エネルギーを共通の形態で貯蔵することにより、熱エネルギーと電気エネルギーの貯蔵について総合的に見た場合の装置の小型化を図るものである。
【００２５】
本発明の装置は、例えば、熱エネルギーと電気エネルギーの需要の少ない深夜にエネルギーを貯蔵し、朝は、主に熱エネルギーを取りだし、昼間には、電気エネルギーを取り出したり、他の装置から余剰熱が得られる場合には、この熱を用いて、熱エネルギーを蓄積したりする。また、夏と冬とでは、必要とされるエネルギー形態が変わるので、これに応じて、熱エネルギーと電気エネルギーの蓄積できるそれぞれの量を変化せしめるものである。
【００２６】
【実施例】
［実施例１］
図１に、水素吸蔵合金を用いて、蓄電と蓄熱とを行なう実施の形態の模式図を示す。この装置は、正極となる水酸化ニッケル（ＮｉＯＨ）１と、電界液２と、第１の水素吸蔵合金（ＭｍＮｉ5）３と、第２の水素吸蔵合金（ＬａＮｉ5）４と、第１の水素吸蔵合金を冷却するための配管５と、第２の水素吸蔵合金を加熱あるいは冷却するための配管６と、第１の水素吸蔵合金に含まれる水素と第２の水素吸蔵合金に含まれる水素とを相互に移動するための配管２０とを備えている。
【００２７】
この装置を充放電する場合は、水酸化ニッケル（ＮｉＯＨ）１を正極にして、第１の水素吸蔵合金を負極にして充放電する。この充放電の原理は、上述した従来のニッケル水素型蓄電池の場合と同様であるので、ここでは、説明を省略する。
【００２８】
また、この装置を用いて蓄熱する場合は、第１の水素吸蔵合金を低温用にし、第２の水素吸蔵合金を高温用にして、上述した従来の水素吸蔵合金を用いた蓄熱装置と同様に蓄熱するので、ここでは、説明を省略する。
【００２９】
この装置の特徴のひとつは、蓄電用の水素吸蔵合金と蓄熱用の水素吸蔵合金の一部を併用していることである。１日に使われるエネルギー形態変化のパターンは、上記で説明したようなものであるので、このように水素吸蔵合金の一部を、蓄電用と蓄熱用とに併用しても何ら問題無く使用できるので、別個に装置を設置する場合よりも、装置を小型にできる。
【００３０】
次に、この装置が、１日に使われるエネルギー形態変化のパターンに合致していることを示す。
【００３１】
この装置では、充放電ステップと蓄放熱ステップとを交互に行なうことができる。ただし、充放電ステップから蓄放熱ステップに移行する場合は、充電に続く放熱という手続きで行なうものとする。またその逆に、蓄放熱ステップから充放電ステップに移行する場合は、蓄熱に続く放電という手続きで行なうものとする。
【００３２】
このような規則においては、０〜４時までは充電し、６時から９時までは放熱し、また９時から１２時までは蓄熱し、１２時から１５時までは放電し、１５時から１８時に充電し、１８時から２２時に放電と放熱を行なう、という運用を行なうことができる。このような運用により、エネルギー供給源から見た場合のエネルギー需要は平準化されており、電気と熱のコジェネレーションシステムによりエネルギーを供給する場合には、その装置の最大定格は、最大のエネルギー需要に合わせる必要は無く、平準化された上での最大のエネルギー需要に合わせることができるため、より小型のコジェネレーションシステムを選択することができる。
【００３３】
充電と放熱とを、あるいは蓄熱と放電とを同時に行なうことも可能であり、例えば、以下のように運用すればよい。２２〜９時までは、充電しながら放熱し、また９時から１５時までは蓄熱しながら放電する。このような運用により、エネルギー供給源から見た場合のエネルギー需要は平準化される。また、第１の水素吸蔵合金で、保持される水素量は少なくなるので、第１の水素吸蔵合金の重量を少なくすることができる。
【００３４】
また、この装置においては、夏は蓄電量をより多く、冬は蓄熱量をより多く調整することによって、夏あるいは冬によって異なるエネルギー形態の相異に容易に対応できることは明らかである。
【００３５】
上記の実施の形態では、水素吸蔵合金としてＭｍＮｉ5と、ＬａＮｉ5とを使用するものとしたが、他の水素吸蔵合金としては、Ｔｉ0.8Ｚｒ0.2Ｃｒ0.8Ｍｎ1.2、ＴｉＦ6、ＭｍＮｉ5Ａｌ0.3、Ｌａ0.9Ｎｉ5Ａｌ0.1、ＬａＮｉ4Ｆｅ、ＬａＮｉ4Ｃｕ、ＭｍＣｏ5、ＣａＮｉ5、ＭｍＮｉ5Ａｌ、ＬａＮｉ4.6Ａｌ0.4、ＴｉＣｏ0.5Ｍｎ0.5、ＭｍＮｉ4Ａｌ、ＭｍＮｉ3.5Ａｌ1.5、ＬａＮｉ4Ａｌ、等が知られており、解離圧と温度との状態図上で特性の異なるものであれば用いることができる。また、実用上は、特性差の大きいものを一対にして用いることが望ましい。
【００３６】
［実施例２］
図２に、レドックスフロー型蓄電池と、その電解液を用いて蓄電と蓄熱とを行なう実施例の模式図を示す。図２は、よく知られた硫化ナトリウム−臭化ナトリウム蓄電池を元に構成した装置の模式図であり、臭化ナトリウム（ＮａＢｒ）水溶液のタンク１０と、ナトリウムイオン交換膜１５と、３臭化ナトリウム（ＮａＢｒ3）水溶液のタンク９と、４硫化ナトリウム（Ｎａ2Ｓ4）水溶液のタンク７と、硫化ナトリウム（Ｎａ2Ｓ2）水溶液のタンク８と、炭素等の材料からなる正極１４と負極１３と、臭化ナトリウム（ＮａＢｒ）を脱水するための脱水器１１と、脱水された水のタンク１２と、脱水器を加熱するための配管１５と、を含んでいる。
【００３７】
この蓄電池の充電時の負極と正極とにおける反応は、上記の図９のレドックスフロー型蓄電池と同様であるので、説明を省略する。
【００３８】
また、蓄熱に関しては、以下のように行なう。臭化ナトリウム（ＮａＢｒ）水溶液をタンク１０から、蓄熱器１１に移し、バルブｂ11、12の操作により外部から高温の液体（水またはオイル）を配管１５に流し、その熱エネルギーで加熱する。この加熱により、水が解離されるので、それをタンク１２に保存しておく事により、蓄熱が行なわれる。
【００３９】
放熱するためには、バルブｂ10の操作により、蓄熱器１１に注入する。このように臭化ナトリウム水溶液にする際、上記の様に水和熱を発するので、バルブｂ11、12の操作により外部から低温の液体（水またはオイル）を配管１５に流して放熱する。
【００４０】
この装置において、蓄熱と蓄電を交互に行なうには、放電に続く蓄熱、放熱に続く充電、という手続きで行なう。このため実施例１の場合とは異なった形態で運用することができる。
【００４１】
例えば、このような規則においては、０〜９時までは充電しながら放熱し、また９時から１５時までは、放電しながら蓄熱し、１５時から２２時には放熱を行ない、再び、０〜６時までは充電しながら放熱する、という運用が可能である。このような運用により、エネルギー供給源から見た場合のエネルギー需要は平準化されることになり、より低い定格出力のエネルギー供給源を選択することができる。またこの場合は、臭化ナトリウム（ＮａＢｒ）水溶液のタンク１０の容量は、蓄熱装置と蓄電装置とを別個に設置する場合に比べて、小さくて済むこので、装置を小型にすることができる。
【００４２】
［実施例３］
図１に示した水素吸蔵合金を用いて蓄電と蓄熱とを行なう装置を、複数台連結して運用する場合の各装置の模式図を図１０に示す。図１０の構成は、図１の構成にさらに、バルブｂ14と連結用配管２１とを設けたものである。図１０の装置を図５にブロック図で示すように連結する。図５の装置は、Ａ、Ｂ２台の蓄電蓄熱装置を連結したもので、電極間は結合器で結合し、水素ガスを相互に移送するための配管３０で結合したものである。この配管には、水素を貯蔵するためのタンクか、水素吸蔵合金を用いた水素著臓器Ｃが結合している。このような配線系や配管系を用いて、相互に水素ガスや電気エネルギーを融通することにより、異なるエネルギー消費パターンに対応した、異なる蓄電蓄熱装置間での消費エネルギーの平準化を図ることができる。
【００４３】
［実施例４］
図２に示した酸化還元溶液を用いて蓄電と蓄熱とを行なう装置を、複数台連結して運用する場合の各装置の模式図を図１１に示す。図１１の構成は、図２の構成にさらに、バルブｂ15、16と連結用配管２２、２３とを設けたものである。図１１の装置を図６にブロック図で示すように連結する。ここで、Ａは４硫化ナトリウム（Ｎａ2Ｓ4）水溶液、Ｂは臭化ナトリウム（ＮａＢｒ）水溶液、Ｃは２硫化ナトリウム（Ｎａ2Ｓ2）水溶液、Ｄは３臭化ナトリウム（ＮａＢｒ3）水溶液、Ｅは水、Ｂ’は紛体のＮａＢｒである。図６の装置は、ａ、ｂ、２台の蓄電蓄熱装置を連結したもので、電極間は結合器で結合し、ＮａＢｒ水溶液を相互に移送するための配管系３１と、紛体のＮａＢｒを相互に移送するための配管系３２で結合したものである。この配管系には、ＮａＢｒ水溶液を貯蔵するためのタンクと、紛体のＮａＢｒを貯蔵するためのタンクが設けられている。このような配線系や配管系を用いて、相互に、ＮａＢｒ水溶液や紛体のＮａＢｒを相互に融通することにより、異なるエネルギー消費パターンに対応した、異なる蓄電蓄熱装置間での消費エネルギーの平準化を図ることができる。
【００４４】
【発明の効果】
この発明は上記した構成からなるので、以下に説明するような効果を奏することができる。
【００４５】
第１の発明では、レドックスフロー型の蓄電器部と、電解液の水和熱を用いて、蓄熱と蓄電を、時間差を設けて行なうことができるようになり、エネルギー利用形態の平準化を従来より小型の装置で行なうことができるようになった。
【００４６】
また、第２の発明では、蓄電ステップと蓄熱ステップ間の移行規則を明確にしたので、蓄電と蓄熱を交互に合理的に行なうことができるようになった。
【００４７】
また、第３の発明では、第１の発明で、蓄電ステップと蓄熱ステップ間の移行規則を明確にしたので、蓄電と蓄熱を交互に合理的に行なうことができるようになった。
【図面の簡単な説明】
【図１】  水素吸蔵合金を用いた熱エネルギー貯蔵容量と電気エネルギー貯蔵容量の相互融通方式の蓄電蓄熱装置を示す模式図である。
【図２】  酸化還元型溶液を用いた熱エネルギー貯蔵容量と電気エネルギー貯蔵容量の相互融通方式の蓄電蓄熱装置を示す模式図である。
【図３】  電力エネルギー消費パターンの例を示す図で、（ａ）は、夏の消費パターンを示し、（ｂ）は、冬の消費パターンを示す。
【図４】  熱エネルギー消費パターンの例を示す図で、（ａ）は、夏の消費パターンを示し、（ｂ）は、冬の消費パターンを示す。
【図５】  ２台の水素吸蔵合金を用いた熱エネルギー貯蔵容量と電気エネルギー貯蔵容量の相互融通方式の蓄電蓄熱装置間で、エネルギーを相互に融通するための構成を示すブロック図である。
【図６】  ２台の酸化還元型溶液を用いた熱エネルギー貯蔵容量と電気エネルギー貯蔵容量の相互融通方式の蓄電蓄熱装置間で、エネルギーを相互に融通するための構成を示すブロック図である。
【図７】  水素吸蔵合金を用いた熱エネルギー貯蔵装置の原理を示す図である。
【図８】  水素吸蔵合金を用いた熱エネルギー貯蔵装置の構成を示すブロック図である。
【図９】  レドックスフロー型装置を用いた熱エネルギー貯蔵装置の構成を示すブロック図である。
【図１０】  複数台結合して用いる場合の、水素吸蔵合金を用いた熱エネルギー貯蔵容量と電気エネルギー貯蔵容量の相互融通方式の蓄電蓄熱装置を示すブロック図である。
【図１１】  複数台結合して用いる場合の、酸化還元型溶液を用いた熱エネルギー貯蔵容量と電気エネルギー貯蔵容量の相互融通方式の蓄電蓄熱装置を示すブロック図である。
【符号の説明】
１  正極となる水酸化ニッケル（ＮｉＯＨ）
２  電界液
３  第１の水素吸蔵合金（ＭｍＮｉ5）
４  第２の水素吸蔵合金（ＬａＮｉ5）
５、６  配管
７  ４硫化ナトリウム（Ｎａ2Ｓ4）水溶液のタンク
８  硫化ナトリウム（Ｎａ2Ｓ2）水溶液のタンク
９  ３臭化ナトリウム（ＮａＢｒ3）水溶液のタンク
１０  臭化ナトリウム（ＮａＢｒ）水溶液のタンク
１１  脱水器
１２  水のタンク
１３  負極
１４  正極
１５  配管
２０  配管
２１、２２、２３  連結用配管
３０  配管
３１、３２  配管系
【図１】
0003731042.tif 000002
【図２】
0003731042.tif 000003
【図３】
0003731042.tif 000004
【図４】
0003731042.tif 000005
【図５】
0003731042.tif 000006
【図６】
0003731042.tif 000007
【図７】
0003731042.tif 000008
【図８】
0003731042.tif 000009
【図９】
0003731042.tif 000010
【図１０】
0003731042.tif 000011
【図１１】
0003731042.tif 000012